(57)【要約】【課題】  通電するための電源が必要であること、通電することによる漏電等の虞がある問題を解決するため、ガラスに設けた回路等に通電することなく窓ガラスの破壊を検知し警報を発する窓ガラスの破壊警報装置を提供することを目的とする。【解決手段】  窓ガラスが破壊された場合に、窓ガラスに配設された公共電波を受信可能な導電線条が破壊されることによる電波利得変化を検知手段が検知、即ち、導電線条としてのアンテナが破壊または断線されることを電波受信器に付設した信号比較器が検知することにより、窓ガラスの破壊を検知し、警報器が連動することを特徴とする窓ガラスの破壊警報装置。【選択図】図１
2005227820.tif 000002
【特許請求の範囲】
【請求項１】
窓ガラスに配設された電波受信可能な導電線条および該導電線条の電波利得変化を検知する検知手段からなり、該窓ガラス破壊時に導電線条が断線することによる電波利得変化を検知手段が検知し警報器が連動することを特徴とする窓ガラスの破壊警報装置。
【請求項２】
前記導電線条が、公共放送の電波を受信することを特徴とする請求項１に記載の窓ガラスの破壊警報装置。
【請求項３】
前記導電線条が受信する電波帯域がＶＨＦ帯域、またはＵＨＦ帯域であることを特徴とする請求項１または請求項２に記載の窓ガラスの破壊警報装置。
【請求項４】
前記導電線条の長さが１００ｍｍ以上のスクリーン印刷法により配設されたプリントアンテナであり、窓ガラス周縁部に該プリントアンテナのアンテナ端子を配設して前記検知手段と連結させてなることを特徴とする請求項１乃至請求項３のいずれか１項に記載の窓ガラスの破壊警報装置。
【請求項５】
前記窓ガラスが室外側に強化ガラスを用いた樹脂中間層を有する合せガラスであり、該室外側の強化ガラスの樹脂中間層側に前記導電線条を配設させてなることを特徴とする請求項１乃至請求項４のいずれか１項に記載の窓ガラスの破壊警報装置。
【請求項６】
前記窓ガラスが室外側に強化ガラスを用いた内部空間を有する複層ガラスであり、該室外側の強化ガラスの内部空間側に前記導電線条を配設させてなることを特徴とする請求項１乃至請求項５のいずれか１項に記載の窓ガラスの破壊警報装置。
【発明の詳細な説明】
【技術分野】
【０００１】
本発明は、窓ガラスの破壊警報装置に関し、窓ガラスに用い防犯用途に使用する。
【背景技術】
【０００２】
ガラスの破壊警報装置について、例えば、特許文献１には、ガラスの幅方向に導電性物質、例えば針金からなる回路網がガラスに配設されており、ガラス破壊時に回路が切断されることにより、ガラス破壊を検知する防犯機能を有するガラス戸およびその製法が開示されている。また、特許文献２には、枠体で囲まれた合せガラスに導電膜を設けその導電膜の一部を枠の近傍で切断することにより、２つの導電膜間に通電しガラス破壊時に導通が無くなることでガラス破壊を検知する防犯ガラス構造が開示されている。
【０００３】
特許文献１に記載の防犯機能を有するガラス戸およびその製法、および特許文献２に記載の防犯ガラス構造は、板ガラスに配設された回路に通電しておき板ガラス破壊により回路が切断されることを検知するものであるため、通電するための電源が必要であること、通電することによる漏電等の虞がある。
【特許文献１】特開２００２−１６３７３２号公報
【特許文献２】特開２００３−１２８４４３号公報
【発明の開示】
【発明が解決しようとする課題】
【０００４】
本発明は、通電することを必要とせず、通電することによる漏電等の恐れがない、ガラスに設けた回路等に通電することなく窓ガラスの破壊を検知し警報を発する窓ガラスの破壊警報装置を提供することを課題とする。
【課題を解決するための手段】
【０００５】
本発明は、窓ガラスが破壊された場合に、窓ガラスに配設された電波受信可能な導電線条が破壊されることによる電波利得変化を検知手段が検知、例えば、導電線条としてのアンテナが破壊または断線されることを電波受信器に付設した信号比較器が検知することにより、窓ガラスの破壊を検知し、検知に警報器が連動することを特徴とする窓ガラスの破壊警報装置である。
【０００６】
即ち、本発明は、窓ガラスに配設された電波受信可能な導電線条および該導電線条の電波利得変化を検知する検知手段からなり、該窓ガラス破壊時に導電線条が断線することによる電波利得変化を検知手段が検知し警報器が連動することを特徴とする窓ガラスの破壊警報装置である。
【０００７】
更に、本発明は、前記導電線条が、公共放送の電波を受信することを特徴とする上記の窓ガラスの破壊警報装置である。
【０００８】
更に、本発明は、前記導電線条が受信する電波帯域がＶＨＦ帯域、またはＵＨＦ帯域であることを特徴とする上記の窓ガラスの破壊警報装置である。
【０００９】
更に、本発明は、前記導電線条の長さが１００ｍｍ以上のスクリーン印刷法により配設されたプリントアンテナであり、窓ガラス周縁部に該プリントアンテナのアンテナ端子を配設して前記検知手段と連結させてなることを特徴とする上記の窓ガラスの破壊警報装置である。
【００１０】
更に、本発明は、前記窓ガラスが室外側に強化ガラスを用いた樹脂中間層を有する合せガラスであり、該室外側の強化ガラスの樹脂中間層側に前記導電線条を配設させてなることを特徴とする上記の窓ガラスの破壊警報装置である。
【００１１】
更に、本発明は、前記窓ガラスが室外側に強化ガラスを用いた内部空間を有する複層ガラスであり、該室外側の強化ガラスの内部空間側に前記導電線条を配設させてなることを特徴とする上記の窓ガラスの破壊警報装置である。
【発明の効果】
【００１２】
窓ガラスに配設された電波受信可能な導電線条、即ち、アンテナが破壊され断線することによる受信利得変化を検知する本発明の窓ガラスの破壊警報装置は、ガラス面にアンテナのみを設け通電する必要がないので、電源を必要としない簡便な装置で、窓ガラスの破壊が検知される。更に、通電する必要がないため、漏電等の危険性もない。
【００１３】
受信する電波に放送局からの公共電波を用いれば、電波送信器を使用することなく、更に、簡便な窓ガラスの破壊警報装置となる。
【発明を実施するための最良の形態】
【００１４】
図１は、本発明の窓ガラスの破壊警報装置を構成する窓ガラスと検知手段の一実施形態を示す説明図である。
【００１５】
図１に示すように、本発明の窓ガラスの破壊警報装置は、窓ガラス３に配設された導電線条としてのアンテナ１と、該アンテナ１の受信利得変化を測る検知手段としての電波受信器２およびそれに付設した信号比較器、および侵入者が窓ガラス３を破壊することによる受信利得変化を電波受信器２に付設した信号比較器が検知した際に、検知に連動する図示しない警報器からなる。
【００１６】
前記警報器は、検知に連動しアラームを発し侵入者を威嚇する、または照明を点灯させ侵入者を威嚇する防犯カメラを作動させる、警備会社に通報する等の役割を果たす。
【００１７】
導電線条としてのアンテナ１に繋げる電波受信器２は、公共の放送局等の電波発信基地からの公共電波、または窓ガラス３の破壊警報のために設置した電波発信器からの電波を受信する。公共電波を受信することとすると、本発明の窓ガラスの破壊警報装置に電波発振器を設ける必要がなく好ましい。受信電波帯域を、ＶＨＦ（Ｖｅｒｙ  Ｈｉｇｈ  Ｆｒｅｑｕｅｎｃｙ）帯域、即ち、３０ＭＨｚ〜３００ＭＨｚ、ＵＨＦ（Ｕｌｔｒａ  Ｈｉｇｈ  Ｆｒｅｑｕｅｎｃｙ）帯域、即ち、３００ＭＨｚ〜３ＧＨｚとすると、電波受信器２に既存のテレビ受信器、ラジオ受信器が使用でき好ましい。窓ガラス３の破壊による電波受信強度の減少、言い換えれば、電波利得変化を本受信器に付設した信号比較器が検知し、連動して警報器が作動する。本発明の窓ガラスの破壊警報装置において、ＶＨＦ帯域、ＵＨＦ帯域等の短波長帯域を受信すると検知感度が高く、窓ガラス３の破壊を検知し易くなる。電波受信器２に付設した信号比較器が、窓ガラス３の破壊による電波受信強度の減少を検知することで、検知に警報器が連動しアラームを発する、警備会社へ通報する等の役割を果たし防犯処置が行える。
【００１８】
窓ガラス３に配置される導電線条としてのアンテナ１は、導電線条をガラス面に設けたもので、プリントアンテナ、ワイヤーアンテナが使用される。ＩＴＯ（酸化インジウムにスズをドープさせたもの）、ネサ膜（酸化スズ膜）等の導電膜を使用も挙げられるが、スパッタリング成膜をしたのち線条とすることはコスト高に繋がる。
【００１９】
ワイヤーアンテナを使用する場合、太い径では窓ガラス３の破壊時にワイヤーアンテナが破壊されない懸念があるので、容易に切断する細い径にする必要があり、材料に切断し難いステンレス鋼、軟鋼ではなく、切断し易い亜鉛、アルミニウム等を用いる等の工夫がいる。
【００２０】
本発明の窓ガラスの破壊警報装置において、窓ガラス３の破壊とともに容易に切断されるプリントアンテナを使うことが好ましく、ＶＨＦ帯域、ＵＨＦ帯域等、短波長帯域の公共の電波を受信するためには、１０ｃｍ以上の長さが必要である。受信のためにアンテナ１の形状は、細長い導電線条とすることが好ましい。
【００２１】
アンテナの配設位置は、窓ガラス３のガラス面外周部とした方が目立たなく好ましい。具体的には、サッシとした時、サッシから５ｃｍ以内の窓ガラス３の外周部に配設すれば目立たない。アンテナ接続端子は、目立たないように窓ガラス３の周縁部に設けることが好ましい。不法侵入の手口には、こじ破りと打ち破りがある。こじ破りはドライバー等で音を出さないように窓ガラス３を破壊し、まわりに気づかれないよう密かに不法侵入する侵入手口であり、不法侵入者はクレセント錠付近のガラスに孔をこじあけ、クレセント錠等を不正開錠して侵入する。こじ破りに対処するためには、本発明の窓ガラスの破壊警報装置において、窓ガラス３のクレセント錠付近の外周部にアンテナとしての導電線条を設けることが好ましい。打ち破りは、破壊音を気にせず、物を投げつける、バール等で叩き割る等して窓ガラス３を破壊する手口である。
【００２２】
アンテナ１を設ける窓ガラス３には、フロート法で製造された後、何ら処理の行われていない生板ガラス、加熱処理等で割れにくく強化された強化ガラス、これらの板ガラスを用いた合せガラス、あるいはこれらのガラスを組み合せた構成の複層ガラスが挙げられる。本発明の窓ガラスの破壊警報装置が目的とすることは、防犯であるので、打ち破り難く防犯性能に優れた構成とすることが好ましい。
【００２３】
本発明の窓ガラスの破壊警報装置において、導電線条を配設するガラスには前記生板ガラス、強化ガラスが挙げられるが、強化ガラスは割れにくいのみでなく、割れる際、全体が細かく破砕されるので、窓ガラス３の周縁部にアンテナ１を配設したとしてもアンテナ１が完全に破砕され断線し窓ガラスの破壊を検知することがより確実となるので、強化ガラスを用いることが好ましい。強化ガラスを用いれば、侵入者が窓ガラスを破壊する際にアンテナが破壊されない可能性が少なくなる。
【００２４】
図２は、本発明の窓ガラスの破壊警報装置を合せガラスに設けた際の窓ガラスの概略断面図である。
【００２５】
本発明の窓ガラスの破壊警報装置は防犯目的であるので、図２に示すように、２枚の板ガラスＧ１、Ｇ２間にポリビニルブチラール樹脂等の溶融接着シートを挟み、加圧加熱し溶融接着一体化させた透明樹脂層４を設けた合せガラスと併用することが好ましい。透明樹脂層４を設けたことで合せガラスは打ち破り難く、容易に貫通孔が開くことはない。その際、アンテナ１を外部から擦ることによる断線、外気の水分、汚れの付着または結露による腐食等による性能劣化に対するアンテナ１の保護のため、アンテナ１は合せガラスの透明樹脂層側、通称合せ面側に設けることが好ましい。室外側のガラスＧ１に強化ガラスを使用し、その合せ面に導電線条を設ければ、強化ガラスは割れる際、外周部まで細かく破砕されるので、室外側のガラスＧ１表面に設けたアンテナ１が完全に破砕され断線し、電波受信器２による窓ガラス３が破壊されたことの検知が容易になる。
【００２６】
図３は、本発明の窓ガラスの破壊警報装置を複層ガラスに設けた際の窓ガラスの概略断面図である。
【００２７】
図３に示すように、一例として、複層ガラスの室外側の板ガラスＧ３を強化ガラスとし、室内側の板ガラスを合せガラスとし、室外側の板ガラスＧ３の内部空間５側にアンテナ１を設けると、バールで打ち破られたとき、室外側のガラスＧ３とともにアンテナ１が完全に破砕し断線するので、本発明の窓ガラスの破壊警報装置により窓ガラス３の破壊が検知される。内部空間５側にアンテナ１を設けたことにより、断線、腐食等に対してアンテナが保護される。室内側の合せガラスは打ち破り難く、室外側のガラスＧ３の破壊を検知したとき、例えば、アラームを発するようにすれば、侵入者にとって侵入が極めて困難となる。また、複層ガラス構造とすることで、複層ガラスの持つ本来の断熱性、遮音性が加えられ、快適な室内環境、防犯性能が与えられる。
【実施例】
【００２８】
実施例１
図２に示すように、窓ガラスとして、合せガラスを使用し、合せガラスの室外側の板ガラスＧ１に強化ガラスを使用し、室内側にフロート法で製造後、何ら強化処理を行っていない生板ガラスＧ２を使用し、縦、５００ｍｍ、横、４００ｍｍの大きさの窓ガラス３を用意した。板ガラスＧ１の合せ面側に導電線条として、導電性ペーストをスクリーン印刷法により印刷後焼成し、図１に示すように、横方向に対して水平である１Ａの長さが３００ｍｍ、直交する１Ｂの長さが３００ｍｍ、１Ｃの長さが３５０ｍｍのプリントアンテナ１を板ガラスＧ１の外周部、合せ面側に配設した。尚、プリントアンテナ１の線幅は８００μｍ、厚みは６μｍである。室内側の板ガラスＧ２の周縁部にアンテナの取り出し部である接続端子を設け、テレビ電波の電波受信器２を接続した。バールで室外側から窓ガラス３を叩いたところ、室外側の板ガラスＧ１と同時にプリントアンテナ１が破壊され断線し、アンテナ１の受信利得が急激に低下し、電波受信器２に付設した信号比較器であるコンパレータが窓ガラス３の破壊を検知し、検知に連動する図示しない警報器が１００デシベルの音量で威嚇音を発した。
実施例２
図３に示すように、室外側の板ガラスＧ３に強化ガラス、室内側をフロート法で製造後何ら強化処理を行っていない一対の生板ガラスＧ１、Ｇ２を用いた合せガラスを使用し、縦、５００ｍｍ、横、４００ｍｍの大きさの複層ガラス構造からなる窓ガラス３を用意した。図１に示すように、導電性ペーストをスクリーン印刷法により印刷後焼成し、室外側の板ガラスＧ３の外周部、内部空間５側に導電線条として、横方向に対して水平である１Ａの長さが３００ｍｍ、直交する１Ｂの長さが３００ｍｍ、１Ｃの長さが３５０ｍｍの実施例１と同様のプリントアンテナ１を配設した。尚、プリントアンテナ１の線幅は８００μｍ、厚みは６μｍである。室内側の板ガラスＧ２の周縁部にアンテナの取り出し部である接続端子を設けた窓ガラス３を用意した。その接続端子にテレビ電波の電波受信器２を接続した。バールで室外側から窓ガラス３を叩いたところ、室外側の板ガラスＧ３と同時にアンテナ１が破壊され断線し、アンテナ１の受信利得が急激に低下し、電波受信器２に付設した信号比較器であるコンパレータが窓ガラス３の破壊を検知し、検知に連動する図示しない警報器が１００デシベルの音量で威嚇音を発した。
【図面の簡単な説明】
【００２９】
【図１】本発明の窓ガラスの破壊警報装置を構成する窓ガラスと検知手段の一実施形態を示す説明図である。
【図２】本発明の窓ガラスの破壊警報装置を合せガラスに設けた際の窓ガラスの概略断面図である。
【図３】本発明の窓ガラスの破壊警報装置を複層ガラスに設けた際の窓ガラスの概略断面図である。
【符号の説明】
【００３０】
１        アンテナ
２        電波受信器
３        窓ガラス
４        透明樹脂層
５        内部空間
Ｇ１、Ｇ２、Ｇ３    板ガラス
【図１】
2005227820.tif 000003
【図２】
2005227820.tif 000004
【図３】
2005227820.tif 000005